【事件の表示】
　特願２００１−１５７２１９「パチンコ機の遊技球誘導構造」拒絶査定不服審判事件〔平成１４年１２月　３日出願公開、特開２００２−３４６０８０〕について、次のとおり審決する。
【結　論】
　本件審判の請求は、成り立たない。
【理　由】
１．手続の経緯
　本願は、
　平成１３年５月２５日に特許出願されたものであって、
　平成２２年５月１３日付けで拒絶理由が通知され、これに応答して同年７月１５日付けで手続補正書が提出され、
　同年１０月２５日付けで最後の拒絶理由が通知され、これに応答して同年１２月２２日付けで手続補正書が提出されたが、
　平成２３年３月２９日付けで、平成２２年１２月２２日付け手続補正が却下されるとともに、同日付けで拒絶査定がされたため、
　これを不服として同年６月２９日付けで拒絶査定不服審判が請求されるとともに、同日付けで手続補正がされ、
　当審において、平成２４年１月６日付けで、平成２３年６月２９日付け手続補正が却下されるとともに、同日付けで最後の拒絶理由通知が通知され、これに応答して平成２４年３月１５日付けで手続補正書が提出されたものである。 
　
　
２．平成２４年３月１５日付けの手続補正についての補正却下の決定
　
［補正却下の決定の結論］
　平成２４年３月１５日付けの手続補正を却下する。
　
［理由］
(1) 本件補正発明
　平成２４年３月１５日付け手続補正により、特許請求の範囲が、
「【請求項１】
左右両端が高く配された弓状の遊技球通路を備えるステージと、該ステージの左右方向中央部に設けられ、前後方向に延出されて前側が低くなるように前後方向の傾斜が設けられた中央の遊技球誘導溝と、該中央の遊技球誘導溝の左側に隆起部を介在させて並設された左側の遊技球誘導溝と、前記中央の遊技球誘導溝の右側に隆起部を介在させて並設された右側の遊技球誘導溝と、前記中央の遊技球誘導溝の前端部両側に立設される一対の突起部と、前記ステージの前側に隣接され、前記遊技球通路と略平行な前遊技球通路を備えた前ステージと、前記ステージと前記前ステージとの境界に立設した仕切り壁と、前記前ステージに設けられ、前記中央の遊技球誘導溝の前方に配されて前後方向に所定角度で傾斜した傾斜部と、を具備して、前記傾斜部は、各遊技球誘導溝に誘導されて前記前ステージに落下した遊技球を下方に流下させることを特徴とするパチンコ機の遊技球誘導構造。
【請求項２】
特別図柄表示装置の左右両側に前記ステージに連通させたワープ通路を配設したことを特徴とする請求項１に記載のパチンコ機の遊技球誘導構造。」
　に補正され、発明の詳細な説明【０００５】〜【０００７】が、
「　　【０００５】
　上記目的を達成するために、本発明のうち請求項１に記載の発明は、左右両端が高く配された弓状の遊技球通路を備えるステージと、該ステージの左右方向中央部に設けられ、前後方向に延出されて前側が低くなるように前後方向の傾斜が設けられた中央の遊技球誘導溝と、該中央の遊技球誘導溝の左側に隆起部を介在させて並設された左側の遊技球誘導溝と、前記中央の遊技球誘導溝の右側に隆起部を介在させて並設された右側の遊技球誘導溝と、前記中央の遊技球誘導溝の前端部両側に立設される一対の突起部と、前記ステージの前側に隣接され、前記遊技球通路と略平行な前遊技球通路を備えた前ステージと、前記ステージと前記前ステージとの境界に立設した仕切り壁と、前記前ステージに設けられ、前記中央の遊技球誘導溝の前方に配されて前後方向に所定角度で傾斜した傾斜部と、を具備して、前記傾斜部は、各遊技球誘導溝に誘導されて前記前ステージに落下した遊技球を下方に流下させることを特徴とする。
　　【０００６】
　本発明は、このように構成することで、遊技球通路を転動する遊技球の転動方向に変化を持たせることができると共に遊技球通路を転動する遊技球の入賞口（始動入賞口）への流下経路に変化を持たせることができる。また、一対の突起部によって中央の遊技球誘導溝を流下する遊技球の左右方向の揺動動作が抑えられ、当該遊技球の入賞口への入賞確率を高めることができる。
　また、前ステージの前遊技球通路を転動する遊技球の転動方向に変化を持たせることができる。
　さらに、各遊技球誘導溝に誘導されて前ステージに落下した遊技球を下方の入賞口方向に流下させることができる。
　　【０００７】
　また、上記目的を達成するために、本発明のうち請求項２に記載の発明は、特別図柄表示装置の左右両側に前記ステージに連通させたワープ通路を配設したことを特徴とする。」
　に補正された。（以下、この補正を「本件補正」という。）
　
(2) 補正の目的
　本件補正は、以下の点を補正した。
　
・補正前の請求項１及び２を引用する請求項４を新たな請求項１とし、補正前の請求項１、２及び３を引用する請求項４を新たな請求項２とし、他の請求項を削除した。（以下「補正事項１」という。）
　
・補正前の請求項２における「略平衡」を「略平行」に補正した。（以下「補正事項２」という。）
　
・補正前の請求項４における「傾斜部」が配された位置を、「各遊技球遊動溝の前方」から「中央の遊技球遊動溝の前方」に補正した。（以下「補正事項３」という。）
　
・補正前の請求項４における「傾斜部」について、「各遊技球誘導溝に誘導されて前記前ステージに落下した遊技球を下方に流下させる」ものである点を補正した。（以下「補正事項４」という。）
　
・補正した請求項１の記載に合わせて、【０００５】の記載を補正した。（以下「補正事項５」という。）
　
・補正した請求項１の記載に合わせて、【０００６】に記載された請求項１に係る発明の効果を、補正前の請求項１、２及び４に係る発明の効果を合わせたものに補正した。（以下「補正事項６」という。）
　
・補正した請求項２の記載に合わせて、【０００７】の記載を補正した。（以下「補正事項７」という。）
　
補正事項１について
　請求項の削除である。
　
補正事項２について
　誤記の訂正である。
　
補正事項３について
　補正前の「傾斜部」が配された位置は、「各遊技球遊動溝の前方」であるので、「中央の遊技球遊動溝」の前方であるだけでなく「左側の遊技球遊動溝」及び「右側の遊技球遊動溝」の前方でもある。
　一方、補正後の「傾斜部」が配された位置は、「中央の遊技球遊動溝の前方」であるので、「左側の遊技球遊動溝」及び「右側の遊技球遊動溝」の前方であることは要しない。
　よって、補正事項２は、特許請求の範囲を実質的に拡張するものであって、請求項の削除、特許請求の範囲の減縮、誤記の訂正又は明りようでない記載の釈明の、いずれを目的とするものでもない。
　
補正事項４について
「傾斜部」の構成を技術事項として限定したものである。
　
補正事項５〜７について
　補正事項１〜４における補正した特許請求の範囲の記載と、発明の詳細な説明の記載との整合を取るものであって、明りようでない記載の釈明を目的とするものである。
　
　以上により、
　前記補正事項１〜２、４〜７は、平成１８年法律第５５号改正附則第３条第１項によりなお従前の例によるとされる同法による改正前の特許法第１７条の２第４項第１〜４号の請求項の削除、特許請求の範囲の減縮、誤記の訂正又は明りようでない記載の釈明を目的とするものに該当するものの、
　前記補正事項３については、平成１８年法律第５５号改正附則第３条第１項によりなお従前の例によるとされる同法による改正前の特許法第１７条の２第４項第１〜４号の請求項の削除、特許請求の範囲の減縮、誤記の訂正又は明りようでない記載の釈明の、いずれを目的とするものでもない。
　よって、前記補正事項３を含む本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。 
　
　補助的に、本件補正が、平成１８年法律第５５号改正附則第３条第１項によりなお従前の例によるとされる同法による改正前の特許法第１７条の２第４項第１〜４号の請求項の削除、特許請求の範囲の減縮、誤記の訂正又は明りようでない記載の釈明を目的とするものに該当する、とした上で、
　本件補正後の請求項１に記載された発明（以下、「本件補正発明」という。）が、特許出願の際独立して特許を受けることができるものであるか否か（平成１８年法律第５５号改正附則第３条第１項によりなお従前の例によるとされる同法による改正前の特許法第１７条の２第５項において準用する同法第１２６条第５項の規定に適合するか）について、以下検討する。
　
　
(4) 特許性についての検討
(4-1) 引用文献に記載された事項
　特開２０００−２４１９０号公報（以下「引用文献１」という。）には、図面とともに、以下の事項が記載されている。
　
(ア)「【０００１】
【発明の属する技術分野】本発明は、パチンコ機等の遊技機に係り、特に、遊技領域において遊技媒体を用いて遊技を行いうるとともに、前記遊技領域には遊技媒体を案内する案内部材を設けてなる遊技機に関するものである。」
　
(イ)「【００２５】上述した表示装置８は、表示部８ａの前方において、該表示部８ａを囲むようにして設けられたセンターフレーム２１を有している。図２，３に示すように、このセンターフレーム２１は、中央上部に位置する誘導部２２、誘導部２２の奥に形成された通過口２３、下奥部に形成された後部ステージ２４、通過口２３と後部ステージ２４とを連通する誘導路２５、後部ステージ２４の前側にガイド壁２６を介して設けられ、スロープ２７を有してなる前部ステージ２８、飾りレンズ２９、及び天導部材３１等を備えている。
【００２６】図４，５に示すように、誘導部２２に案内された遊技球５は、通過口２３へと案内され、左又は右の誘導路２５を通って、後部ステージ２４へと導出される。そして、後部ステージ２４に導出された遊技球５は、ガイド壁２６の隙間から前部ステージ２８へと導かれる。そして、その多くは、スロープ２７を通って、センターフレーム２１から落下する。スロープ２７は、作動口３等の上方に位置しているので、スロープ２７から落下した遊技球５は、図１に示すように、作動口３或いは大入賞口４の方へ案内されやすくなる。
【００２７】また、遊技盤２には多数の釘Ｇが植設されている。従って、これら釘Ｇに当たった一部の遊技球５は、前記誘導路２５を通らずとも、ジャンプして前部ステージ２８（場合によっては後部ステージ２４）へと導かれる場合もある。」
　
(ウ)図１〜３から、「後部ステージ２４」は、左右両端が高く配された弓状と認められる。また、「ガイド壁２６の隙間」は３つある。
　
(エ)図１〜３から、「後部ステージ２４」の左右方向中央部及びその左右に「ガイド壁２６の隙間」が並設されていると認められる。
　
(オ)図２から、「後部ステージ２４」上には「ガイド壁２６の隙間」がある部分に対応して複数のくぼみが設けられ、当該複数のくぼみはくぼみよりも隆起した部分を介して並設されている、と認められる。
　
(カ)図２〜４から、中央のくぼみは遊技球を誘導する方向に傾斜していると認められる。
　
(キ)図２から、「スロープ２７」が、中央の「ガイド壁２６の隙間」及び中央のくぼみの前方に配されていると認められる。
　
　以上、(ア)〜(キ)を総合すると、引用文献１には、以下の発明が開示されている。
「左右両端が高く配された弓状の後部ステージ２４と、
　後部ステージ２４の前側にガイド壁２６を介して設けられ、スロープ２７を有してなる前部ステージ２８と、
　該後部ステージ２４の左右方向中央部及びその左右に並設されたガイド壁２６の隙間と、を具備して、
　前記後部ステージ２４上には前記ガイド壁２６の隙間がある部分に対応して複数のくぼみが設けられ、当該複数のくぼみはくぼみよりも隆起した部分を介して並設され、
　中央のくぼみは遊技球を誘導する方向に傾斜し、
　前記スロープ２７は中央のガイド壁２６の隙間及び中央のくぼみの前方に配され、
　前記ガイド壁２６の隙間から前部ステージ２８へと導かれた遊技球５の多くは、スロープ２７を通って、センターフレーム２１から落下する、パチンコ機のセンターフレーム２１の構造。」
（以下、この発明を「引用発明」という。）
　
　また、特開平１０−３２８３６９号公報（以下「引用文献２」という。）には、図面とともに、以下の事項が記載されている。
　
(サ)「【００２１】ここで、ステージ２０に設けられた３つの通路について、図４〜図６を参照にしながら説明する。ステージ２０には、第１仕切板２４、第２仕切板２５、第３仕切板２６により、第１通路２１、第２通路２２、第３通路２３の３つの通路が設けられている。第１仕切板２４、第２仕切板２５、第３仕切板２６の各中央には、第１通路の開口部２４Ａ、第２通路の開口部２５Ａ、第３通路の開口部２６Ａが、下側にある入球口１３（図１参照）に向かって連設されている。
【００２２】そして、ステージ２０は手前側を下方にして傾いており、例えば、第１通路２１上を転動するパチンコ球５０は、第１通路の開口部２４Ａ、第２通路の開口部２５Ａ、第３通路の開口部２６Ａを介して、パチンコ球５３のように、入球口１３（図１参照）に向かって落下する。また、第２通路２２上を転動するパチンコ球は、第２通路の開口部２５Ａ、第３通路の開口部２６Ａを介して、パチンコ球５３のように、入球口１３（図１参照）に向かって落下する。また、また、第３通路２３上を転動するパチンコ球は、第３通路の開口部２６Ａを介して、パチンコ球５３のように、入球口１３（図１参照）に向かって落下する。」
　
(シ)「【００２７】次に、第２実施の形態のパチンコ機のワープ機構について、図８〜図１０を用いて説明する。溝３０が設けられていることを除いては、第１実施の形態のパチンコ機のワープ機構と同じである。すなわち、入球口１３（図１参照）に向かって連設された第１通路の開口部２４Ａ、第２通路の開口部２５Ａ、第３通路の開口部２６Ａの各開口部に渡って、第１通路２１、第２通路２２、第３通路２３の各通路上を転動するパチンコ球を入球口１３（図１参照）に案内する溝３０が設けられている。
【００２８】かかる溝３０は、第１通路の開口部２４Ａから第３通路の開口部２６Ａに向かって細くなっているので、第１通路２１、第２通路２２、第３通路２３の３つの通路がそれぞれもつ、パチンコ球を入球口１３（図１参照）に入球させることができる確率の差を、さらに大きくする。なぜなら、第１通路２１上を転動するパチンコ球５４は、幅広の溝３０で容易に捕捉され、幅狭の第１通路の開口部２４ＡでＳの落下方向が安定するから、パチンコ球５５のようにして、入球口１３（図１参照）に向かって確実に落下させることができる。それに比べ、第３通路２３上を転動するパチンコ球は、幅狭の溝３０で捕捉するのは困難であり、幅広の第３通路の開口部２６Ａでは落下方向が不安定であるから、入球口１３（図１参照）に向かって確実に落下することができないからである。」
　
(ス)図１、５、９から、次のことが認められる。
・「ステージ２０」は、左右両端が高く配された弓状である。
・「第１通路の開口部２４Ａ」及び「溝３０」は、「ステージ２０」の左右方向中央部に設けられている。
　
　以上、(サ)〜(ス)を総合すると、引用文献２には、以下の「パチンコ機のワープ機構」の技術が開示されている。
　
「左右両端が高く配され、手前側を下方にして傾いた弓状のステージ２０を具備し、
　ステージ２０には、第１仕切板２４、第２仕切板２５、第３仕切板２６により、第１通路２１、第２通路２２、第３通路２３の３つの通路が設けられ、第１仕切板２４、第２仕切板２５、第３仕切板２６の各中央には、第１通路の開口部２４Ａ、第２通路の開口部２５Ａ、第３通路の開口部２６Ａが、下側にある入球口１３に向かって連設され、
　第１通路の開口部２４Ａ、第２通路の開口部２５Ａ、第３通路の開口部２６Ａの各開口部に渡って、第１通路２１、第２通路２２、第３通路２３の各通路上を転動するパチンコ球を入球口１３に案内する溝３０が設けられている、パチンコ機のワープ機構であって、
　第１通路２１上を転動するパチンコ球５４については、幅狭の第１通路の開口部２４Ａで落下方向が安定するもの。」
　
(4-2) 対比
　引用発明と本件補正発明とを対比する。
　
　引用発明における「後部ステージ２４」及び「前部ステージ２８」並びに「ガイド壁２６」は、本件補正発明における「ステージ」及び「前ステージ」並びに「仕切り壁」に相当する。
　
　引用発明において、「ガイド壁２６の隙間から前部ステージ２８へと導かれた遊技球５の多くは、スロープ２７を通って、センターフレーム２１から落下する」ので、引用発明は、「ガイド壁２６の隙間」及びくぼみがある部分において、遊技球を誘導するように構成されている。
　パチンコ機における遊技球を誘導するステージの技術常識を考慮すれば、引用発明における前記複数のくぼみが、「ガイド壁２６の隙間」がある部分において遊技球を誘導する溝であって、本件補正発明における各「遊技球誘導溝」に相当することは、自明である。
　
　図面の記載から、引用発明における「後部ステージ２４」及び「前部ステージ２８」は、「略平行」と認められる。
　
　引用発明における「遊技球５の多くは、スロープ２７を通って、センターフレーム２１から落下する」点及び引用文献１の図４の記載から、引用発明における「スロープ２７」は前後方向に所定角度で傾斜していると認められる。
　引用発明において、「前記ガイド壁２６の隙間がある部分に対応して複数のくぼみが設けられ」ている点、「前記スロープ２７は中央のガイド壁２６の隙間及び中央のくぼみの前方に配され」ている点、「前記ガイド壁２６の隙間から前部ステージ２８へと導かれた遊技球５の多くは、スロープ２７を通って、センターフレーム２１から落下する」点、
　並びに、前記のとおり、引用発明における複数のくぼみは本件補正発明における各「遊技球誘導溝」に相当する点から、
　引用発明における「スロープ２７」は、中央の遊技球誘導溝の前方に配され、各遊技球誘導溝に誘導されて前部ステージ２８へと導かれた遊技球５を落下させていると認められる。
　よって、引用発明における「スロープ２７」は、本件補正発明における「前記前ステージに設けられ、前記中央の遊技球誘導溝の前方に配されて前後方向に所定角度で傾斜した傾斜部」であって「各遊技球誘導溝に誘導されて前記前ステージに落下した遊技球を下方に流下させる」ものに相当する。
　
　引用文献１の(イ)に記載されているように、「後部ステージ２４」及び「前部ステージ２８」は、「誘導路２５」等から導かれた「遊技球５」を「センターフレーム２１から落下する」まで導くものであるから、
　引用発明における「後部ステージ２４」及び「前部ステージ２８」は、本件補正発明における「遊技球通路」を備えているといえ、
　当該「後部ステージ２４」及び「前部ステージ２８」を具備する「パチンコ機のセンターフレーム２１の構造」は、本件補正発明における「パチンコ機の遊技球誘導構造」に相当するといえる。
　
　以上のことから、引用発明及び本件補正発明は、
＜一致点＞
「左右両端が高く配された弓状の遊技球通路を備えるステージと、
　該ステージの左右方向中央部に設けられ、前後方向に延出されて前側が低くなるように前後方向の傾斜が設けられた中央の遊技球誘導溝と、
　該中央の遊技球誘導溝の左側に隆起部を介在させて並設された左側の遊技球誘導溝と、
　前記中央の遊技球誘導溝の右側に隆起部を介在させて並設された右側の遊技球誘導溝と、
　前記ステージの前側に隣接され、前記遊技球通路と略平行な前遊技球通路を備えた前ステージと、
　前記ステージと前記前ステージとの境界に立設した仕切り壁と、
　前記前ステージに設けられ、前記中央の遊技球誘導溝の前方に配されて前後方向に所定角度で傾斜した傾斜部と、を具備して、
　前記傾斜部は、各遊技球誘導溝に誘導されて前記前ステージに落下した遊技球を下方に流下させる、パチンコ機の遊技球誘導構造。」
　である点で一致し、以下の点で相違している。
　
＜相違点＞
　本件補正発明が「中央の遊技球誘導溝の前端部両側に立設される一対の突起部」を具備するのに対し、
　引用発明はこれを具備するか明らかでない点。
　
(4-3) 判断
　前記相違点について検討すると、
　遊技球の落下方向が安定するように、引用発明の「ガイド壁２６」及び「ガイド壁２６の隙間」に、引用文献２に開示された「第１仕切板２４」及び「第１通路の開口部２４Ａ」を適用して、相違点２に係る本件補正発明の構成とすることは、当業者が容易に想到しうるものである。
　したがって、本件補正発明は、引用発明及び引用文献２に開示された技術から、当業者が容易に想到しうるものであるから、
　本件補正発明は、特許法第２９条第２項の規定により、特許出願の際独立して特許を受けることができるものではない。
　
(5) むすび
　したがって、本件補正は、平成１８年法律第５５号改正附則第３条第１項によりなお従前の例によるとされる同法による改正前の特許法１７条の２第５項で準用する同法１２６条第５項の規定に違反するものであり、同法１５９条第１項において読み替えて準用する同法５３条第１項の規定により却下されるべきものである。
　
　
３．本願発明について
(1) 本願発明
　平成２４年３月１５日付けの手続補正は前記のとおり却下されたので、本出願に係る発明は、平成２２年７月１５日付け手続補正書で補正された特許請求の範囲により特定されるとおりのものである。
　そして、その請求項１に係る発明（以下「本願発明」という。）は、次のとおりである。
「【請求項１】
左右両端が高く配された弓状の遊技球通路を備えるステージと、該ステージの左右方向中央部に設けられ、前後方向に延出されて前側が低くなるように前後方向の傾斜が設けられた中央の遊技球誘導溝と、該中央の遊技球誘導溝の左側に隆起部を介在させて並設された左側の遊技球誘導溝と、前記中央の遊技球誘導溝の右側に隆起部を介在させて並設された右側の遊技球誘導溝と、前記中央の遊技球誘導溝の前端部両側に立設される一対の突起部と、を具備したことを特徴とするパチンコ機の遊技球誘導構造。」
　
(2) 引用文献に開示された事項
　前記２(4-3) で示した特開２０００−５１４４８号公報（引用文献３）には、以下の事項が記載されている。
　
(a) 「【００１５】
【発明の実施の形態】以下に、本発明における遊技機を、パチンコ遊技機（以下、単に「パチンコ機」という）に具体化した一実施の形態を、図面に基づいて詳細に説明する。」
　
(b) 「【００２６】また、下部２５の上面は、ステージ２９となっており、該ステージ２９上において、遊技者は、遊技球５の挙動を視認することができるようになっている。さらに、左右両側部２４には、前記入口部２７及びステージ２９間を連通する遊技球通路３１が形成されている。遊技球通路３１は、遊技者が通過中の遊技球５を視認困難となるようカバーで覆われるようにして構成されている。従って、入口部２７に入った遊技球５は、図６に示すように、該遊技球通路３１を通って（このとき、一時的に遊技球５の視認が困難となる）、ステージ２９上へと案内される。
【００２７】ステージ２９は、連続的に高さが異なっており、そのほぼ中央部は山状の凸部３２となっており、その左右両側は凹部３３となっている。凹部３３は、前側ほど低い傾斜面となっており、多くの遊技球５がここから前方へ導出されるようになっている。一方、凸部３２の頂部には、後側ほど低くなっている案内溝３４が形成されている。前記案内溝３４の奥には、遊技球５が通過可能な開口部３５が形成されている。また、凹部３３下部の開口部３５に対応する位置には、遊技球５を前方へ排出するための排出案内部３６が設けられている。」
　
(c) 「【００２９】図１に示すように、上記排出案内部３６は、前記作動口３の直上方に設けられており、該排出案内部３６から排出された遊技球５は比較的高い確率で作動口３に入賞しやすく構成されている。」
　
(d) 「【００３２】本実施の形態によれば、遊技者の操作により、遊技盤２上部に打ち込まれた遊技球５は、入口部２７からセンターフレーム２１へと案内される場合がある。この入口部２７から案内された遊技球５は、遊技球通路３１を通ってステージ２９へと案内される。遊技者は、ステージ２９に形成された凹部３３及び凸部３２を転動する（左右に往復動する）遊技球５の挙動を視認し、楽しむ。」
　
(e) 「【００４８】（ｈ）上記実施の形態では、開口部３５を凸部３２の奥に設けることとしたが、ステージ２９上における凸部３２に直接孔を設け、これを開口部としてもよい。」
　
(f) 図１〜３の記載から、前記「ステージ２９」は、左右両端が高く配された弓状と認められる。
　
　以上、(a)〜(f)を総合すると、引用文献３には、以下の発明が開示されている。
「左右両端が高く配された弓状のステージ２９を具備し、
　該ステージ２９のほぼ中央部は山状の凸部３２となっており、その左右両側は、前側ほど低い傾斜面となって多くの遊技球５が前方へ導出される凹部３３となっており、
　前記凸部３２の頂部には、後側ほど低くなっている案内溝３４が形成されている、
　パチンコ機の構造。」
（以下、この発明を「引用発明３」という。）
　
　また、前記２(4) で示した特開平１０−３２８３６９号公報（引用文献２）については、前記２(4-1) と同趣旨。
　
(3) 対比
　引用発明３と本願発明とを対比する。
　
　引用文献３の(d) には「遊技者は、ステージ２９に形成された凹部３３及び凸部３２を転動する（左右に往復動する）遊技球５の挙動を視認し、楽しむ。」と記載されているので、引用発明３における「ステージ２９」は、本願発明における「遊技球通路」を備えると認められる。
　
　引用文献３の(b) 【００２７】には、「ステージ２９」は、「そのほぼ中央部は山状の凸部３２となっており」、「凸部３２の頂部には・・・案内溝３４が形成されている」と記載されているので、引用発明３における「案内溝３４」は、「ステージ２９」の左右方向中央部に設けられていると解される。
　引用文献３の図２の記載から、引用発明３における「案内溝３４」は、前後方向に延出されていると解される。
　引用発明３における「案内溝３４」は「後側ほど低くなっている」ので、前後方向の傾斜が設けられていると解される。
　よって、引用発明３における「案内溝３４」は、“該ステージの左右方向中央部に設けられ、前後方向に延出されて前後方向の傾斜が設けられた”点で、本願発明における「中央の遊技球誘導溝」と共通する。
　
　引用発明３における「凸部３２」は隆起した部分であり、「前記凸部３２の頂部」に形成された「案内溝３４」は周囲よりも凹んだ部分であるので、前記「凸部３２」のうち、「案内溝３４」の両側に位置する部分は、本願発明における２つの「隆起部」に相当する。
　そして、引用発明３における２つの「凹部３３」は、前記「案内溝３４」の左右に前記「隆起部」に相当する部分を介在させて並設されているので、本願発明における「左側の遊技球誘導溝」及び「右側の遊技球誘導溝」に相当する。
　
　引用文献３の(a)〜(e)に記載されているように、引用発明３は、遊技球を案内、導出、転動させるための構造であるから、本願発明における「パチンコ機の遊技球誘導構造」に相当する。
　
　以上のことから、引用発明３と本願発明は、
＜一致点＞
「左右両端が高く配された弓状の遊技球通路を備えるステージと、
　該ステージの左右方向中央部に設けられ、前後方向に延出されて前後方向の傾斜が設けられた中央の遊技球誘導溝と、
　該中央の遊技球誘導溝の左側に隆起部を介在させて並設された左側の遊技球誘導溝と、
　前記中央の遊技球誘導溝の右側に隆起部を介在させて並設された右側の遊技球誘導溝と、
　を具備したパチンコ機の遊技球誘導構造。」
　である点で一致し、以下の点で相違している。
　
＜相違点Ａ＞
　本願発明における「中央の遊技球誘導溝」が「前側が低くなるように」されているのに対し、
　引用発明３における「案内溝３４」は「後側ほど低くなっている」点。
　
＜相違点Ｂ＞
　本願発明が「前記中央の遊技球誘導溝の両側の前記２つの隆起部の前端部に突設した一対の突起部」を具備するのに対し、
　引用発明３はこれを具備するか不明である点。
　
(4) 判断
　前記相違点について検討する。
　
＜相違点Ａ＞について
　引用文献３の(b) 【００２７】に記載されているように、引用発明３における「案内溝３４」、「開口部３５」及び「排出案内部３６」は、最終的には遊技球を前方へ排出するためのものである。
　例えば、引用発明３における「凹部３３」にみられるように、ステージ上の溝に前側が低くなるような傾斜を設けて、遊技球を前方へ導出することは、周知である。（以下「周知技術」という。）
　よって、引用発明３における「案内溝３４」に前記周知技術を適用して、遊技球を前方へ直接導出するように構成することは、当業者が容易に想到しうるものである。
　
＜相違点Ｂ＞について
　遊技球の落下方向が安定するように、引用発明３に引用文献２に開示された「第１仕切板２４」を適用することは、当業者が容易に想到しうるものである。
　また、相違点Ａについて述べたように、前記「案内溝３４」に前側が低くなるような傾斜を設けて、遊技球を前方へ導出するように構成する場合、
　前記「案内溝３４」が形成されている部分の前面側に「第１通路の開口部２４Ａ」を構成することに、特段の困難性は認められない。
　
判断のまとめ
　したがって、本願発明は、引用発明３、引用文献２に開示された技術及び周知技術から、当業者が容易に想到しうるものである。
　
(5) むすび
　以上のとおり、本出願の請求項１に係る発明は、引用発明３、引用文献２に開示された技術及び周知技術から、当業者が容易に発明をすることができたものであるから、特許法第２９条第２項の規定により特許を受けることができない。
　したがって、本出願は、他の請求項について検討するまでもなく、拒絶されるべきものである。
　よって、結論のとおり審決する。